(57)【要約】      （修正有）【課題】ランプ本体のランプベースを除く全体に亘って全周照明が可能な小型の封入型蛍光ランプを提供する。【解決手段】拡散性の透明プラスチック材料からなるランプエンベロープ１と後部カバー７が接着剤４で接合封止され、後部カバー７はランプベース９に固定される。ランプ管２は透明なＰＣプラスチックからなるランプ保持板３の前端側に固定され、後端側には安定器６を設けた回路基板６１が固定される。後部カバー７はＰＣプラスチックに象牙色の粉体を添加して、ランプ管２及び安定器６を外から見えないようにする。回路基板６１をランプ保持板３に対して垂直に設けたことにより、ランプ保持板３の後端側にある安定器６と後部カバー７との間に十分な空間ができて、ランプ管２から蛍光ランプの後部に向って放たれた光がランプ保持板３を通って後部カバー７を透過することができる。【選択図】図１
2005268221.tif 000002
【特許請求の範囲】
【請求項１】
全周照明が可能な封入型蛍光ランプであって、透光性材料からなるランプエンベロープと、ランプ管と、ランプ保持板と、回路基板上の安定器と、後部カバーと、ランプベースとを備え、
前記ランプ管は前記ランプ保持板の前端側に固定され、前記回路基板上の安定器は前記ランプ保持板の後端側に設置され、
前記安定器は前記ランプ管と前記ランプベースに接続しており、
前記ランプ保持板と前記回路基板とは、前記ランプエンベロープと前記後部カバーとをつなぐ空間において固定されて封入され、それにより、前記ランプエンベロープが前記ランプ管を収納するとともに前記後部カバーが前記安定器を収納し、
前記ランプベースは前記後部カバーの尾部にしっかりと取り付けられ、前記ランプ保持板、前記回路基板、及び前記後部カバーは透光性材料からなることを特徴とする蛍光ランプ。
【請求項２】
前記ランプ保持板は透明なＰＣプラスチックからなり、前記回路基板は透明なファイバボードからなり、前記後部カバーは透明なＰＣプラスチックに着色粉体を添加してなることを特徴とする請求項１に記載の全周照明が可能な封入型蛍光ランプ。
【請求項３】
前記回路基板は前記ランプ保持板に対して平行であり、ランプ全体の軸線上における前記回路基板の投影は前記ランプ管の投影より小さいことを特徴とする請求項１又は請求項２に記載の全周照明が可能な封入型蛍光ランプ。
【請求項４】
透光性材料を用いて製造された隔離板が前記回路基板と前記ランプ保持板との間に平行に設置され、ランプ全体の軸線上における前記隔離板の投影は前記ランプ管の投影よりも小さいことを特徴とする請求項１乃至請求項３に記載の全周照明が可能な封入型蛍光ランプ。
【請求項５】
前記ランプ管の軸線はランプ全体の軸線と重なり、前記ランプ管の末端部は前記ランプ保持板の前端側に接着され、前記安定器は、小寸法の部品及び表面実装部品を有し、一部の部品が前記ランプベースの内部空間に延びて実装されるように、表面実装工程により構成されることを特徴とする請求項１又は請求項２に記載の全周照明が可能な封入型蛍光ランプ。
【請求項６】
前記ランプ管の軸線はランプ全体の軸線に直交し、前記ランプ管は前記ランプ保持板の前端側に金属クリップを用いて固定され、前記安定器の回路基板は、前記ランプ保持板の後端側に平行に固定され、前記安定器は、小寸法の部品及び表面実装部品を有し、一部の部品が前記ランプベースの内部空間に延びて実装されるように、表面実装工程により構成されることを特徴とする請求項１又は請求項２に記載の全周照明が可能な封入型蛍光ランプ。
【請求項７】
全周照明が可能な封入型蛍光ランプであって、透光性材料からなるランプエンベロープと、ランプ管と、ランプ保持板と、回路基板上の安定器と、後部カバーと、ランプベースとを備え、
前記ランプ管は前記ランプ保持板の前端側に固定され、前記回路基板上の安定器は前記ランプ保持板の後端側に設置され、
前記安定器は前記ランプ管と前記ランプベースに接続しており、
前記ランプ保持板と前記回路基板とは、前記ランプエンベロープと前記後部カバーとをつなぐ空間において固定されて封入され、それにより、前記ランプエンベロープが前記ランプ管を収納するとともに前記後部カバーが前記安定器を収納し、
前記ランプベースは前記後部カバーの尾部にしっかりと取り付けられ、前記ランプ保持板及び前記後部カバーは透光性材料からなり、前記回路基板は前記ランプ保持板に対して垂直に配置されることを特徴とする蛍光ランプ。
【請求項８】
前記ランプ保持板は透明なＰＣプラスチックからなり、前記後部カバーは透明なＰＣプラスチックに着色粉体を添加してなることを特徴とする請求項７に記載の全周照明が可能な封入型蛍光ランプ。
【請求項９】
前記ランプ管の軸線はランプ全体の軸線と重なり、前記ランプ管の末端部は前記ランプ保持板の前端側に接着され、前記安定器は、小寸法の部品及び表面実装部品を有し、一部の部品が前記ランプベースの内部空間に延びて実装されるように、表面実装工程により構成されることを特徴とする請求項７又は請求項８に記載の全周照明が可能な封入型蛍光ランプ。
【請求項１０】
前記ランプ管の軸線はランプ全体の軸線に直交し、前記ランプ管は前記ランプ保持板の前端側に金属クリップを用いて固定され、前記安定器の回路基板は、前記ランプ保持板の後端側に平行に固定され、前記安定器は、小寸法の部品及び表面実装部品を有し、一部の部品が前記ランプベースの内部空間に延びて実装されるように、表面実装工程により構成されることを特徴とする請求項７又は請求項８に記載の全周照明が可能な封入型蛍光ランプ。
【発明の詳細な説明】
【技術分野】
【０００１】
本発明は照明用の蛍光ランプに関するものであり、特に、ランプ本体の全体に亘って全周照明が可能な小型蛍光ランプに関する。
【背景技術】
【０００２】
現在の市場における既存の封入型蛍光ランプは一般に、ランプエンベロープ、ランプ管、ランプ保持板、回路基板上の安定器、後部カバー、及びランプベースから構成される。この種の蛍光ランプでは、ランプ管はランプ保持板の前端側に固定され、安定器の回路基板はランプ保持板の後端側に配置され、安定器はランプ管及びランプベースに接続しており、ランプ保持板と回路基板とはランプエンベロープと後部カバーとをつなぐ空間において固定されて封入され、それにより、ランプエンベロープがランプ管を収納するとともに後部カバーが安定器を収納し、ランプベースは後部カバーの尾部にしっかりと固定される。その結果、透明又は半透明の材料からなるランプエンベロープのみが、ランプ管の発する光をランプ本体の前端側において透過させる。後部カバーは、内部の安定器を遮蔽し、ランプの外観を美しくする目的で、非透光性のプラスチック材料で製造される。従って、封入型蛍光ランプの後端側では、プラスチック製の後部カバーで覆うことにより、暗色ゾーンが形成され、美観が損なわれるとともに、照明のための光出力にも影響が生じる。また、現在市場に出ている封入型蛍光ランプはどれも寸法が大きく、小型のものを要するような応用領域では使用し難い。
【発明の開示】
【発明が解決しようとする課題】
【０００３】
本発明の第１の目的は、ランプ管によって発された光をランプベースを除くランプ本体の全体に亘って透過させて照明することが可能な封入型蛍光ランプを提供することである。
【０００４】
本発明の第２の目的は、寸法が小さく、且つ、ランプベースを除くランプ本体の全体に亘って全周照明が可能な、封入された小型蛍光ランプを提供することである。
【課題を解決するための手段】
【０００５】
上記目的を達成するために、本発明の全周照明が可能な封入型蛍光ランプは、透光性材料を用いて製造されたランプエンベロープと、ランプ管と、ランプ保持板と、回路基板上に設置された安定器と、後部カバーと、ランプベースとを備える。本発明の蛍光ランプにおいては、ランプ管はランプ保持板の前端側に固定され、安定器の回路基板はランプ保持板の後端側に設置され、安定器はランプ管とランプベースに接続され、ランプ保持板と回路基板とは、ランプエンベロープと後部カバーとをつなぐ空間において固定されて封入され、それにより、ランプエンベロープがランプ管を収納するとともに後部カバーが安定器を収納し、ランプベースは後部カバーの尾部にしっかりと取り付けられる。上記ランプ保持板、回路基板、及び後部カバーに透光性材料を用いることにより、ランプ管から蛍光ランプの後部側へ発された光が、ランプ保持板及び回路基板を介して後部カバーを透過することが可能になる。あるいは、回路基板が透光性を有さない場合、回路基板をランプ保持板に対して垂直に設置し、ランプ管から蛍光ランプの後部側へ発された光が、ランプ保持板を介して後部カバーを透過するようにしてもよい。結果として、後部カバーとランプエンベロープとが透光性を有する照明体を形成する。
【０００６】
上記ランプ保持板は透明なＰＣプラスチックからなり、回路基板は透明なファイバボードからなり、後部カバーは透明なＰＣプラスチックに着色粉体を添加してなることが好ましい。
【０００７】
さらに、ランプ保持板は回路基板と平行であり、ランプ全体の軸線上における回路基板の投影はランプ管の投影より小さいことが好ましい。
【０００８】
隔離板を要するとき、透光性材料からなる隔離板が回路基板とランプ保持板との間に平行に設置され、ランプ全体の軸線上における隔離板の投影はランプ管の投影よりも小さい。
【０００９】
第２の目的を達成するために、上述の基本構想に基づく実施可能な技法が以下のように達成される。上記ランプ管の軸線はランプ全体の軸線と重なり、ランプ管の末端部はランプ保持板の前端側に接着され、安定器は、小寸法の部品及び表面実装部品を有して表面実装工程により構成され、それにより、一部の部品がランプベースの内部空間に延びて実装される。
【００１０】
別の実施可能な手法を以下に開示する。ランプ管の軸線はランプ全体の軸線に直交させ、ランプ管の中央部はランプ保持板の前端側に金属クリップを用いて固定され、安定器は、小寸法の部品及び表面実装部品を有して表面実装工程により構成され、それにより、一部の部品がランプベースの内部空間に延びて実装されるようにする。
【００１１】
本発明の全周照明が可能な封入型蛍光ランプは、長年当該分野において存在する「外観及び美的資質を調和させるためには、内部の安定器は覆い隠す必要があり、後部カバーは透光性を有さない材料を用いて製造しなければならず、ランプ本体の後端側における光の損失は考慮しない」という古い表現を捨て去るものである。本発明においては、ランプ管を固定するランプ保持板、電線を隔離する隔離板、安定器の回路基板、及び後部カバーに透光性材料が用いられるため、ランプ管によって発された光がランプ保持板、隔離板、及び回路基板を介して後部カバーを透過することができる。その結果、ランプの電源が投入されたときに、ランプ本体の全体が明るくなる。このように、ランプ管によって発された光がより多く透過され、照明効果が向上する。後部カバーはＰＣプラスチックに適量の着色粉体を添加してなり、良好な透光性を有するが、透明なもの程ではなく、よって、電源投入前のランプの美観が維持されるように依然として内部の安定器を覆い隠し、また、電源が投入されたときに内部の安定器が目立つことのないようにする。例えば、白色粉体を添加すると、後部カバーは白色を帯び、発された光が柔らかさを有してより美しくなるとともにランプエンベロープの色と調和する。本発明の全周照明可能な封入型蛍光ランプを用いると、既存の封入型蛍光ランプに共通する避け難い暗色ゾーンを解消することができ、且つ、ランプの美的資質及び照明効果を適切なものにすることができる。構造の点では、安定器の回路基板をランプ保持板の後端側に垂直に設置し、又は、ランプ保持板と回路基板を平行に設置してランプ全体の軸線上における回路基板の投影をランプ管の投影よりも小さくし、後部カバーからの光の透過量をさらに増加させる。ＳＬＵ又はＳＬ又は３Ｕ改良型、又は４ＳＬの構造を有し、末端部がランプ保持板に接着された小型ランプ管、又は２ＳＬの構造を有し、ランプ保持板に金属クリップで固定された小型ランプ管を適用することにより、及び、小寸法の部品及び表面実装部品を有して表面実装工程により構成された安定器を組み合わせて、内部空間を十分に利用できるようにし、また、一部の部品をランプベースの内部空間に延びるように実装することにより、効果的にランプ全体の長さ及び直径を小さくすることができる。
【００１２】
本発明の種々の目的及び利点は、添付図面を参照して以下の詳細な説明をお読み頂ければ、より容易に理解されるであろう。
【発明を実施するための最良の形態】
【００１３】
（実施例１）
図１を参照すると、拡散性の透明プラスチック材料からなるＴ６０型ランプエンベロープがランプエンベロープ１に用いられている。ランプ管２は、４ＳＬ型の小型ランプ管であってランプエンベロープ１に適合するものであり、末端部は透明なＰＣプラスチック製のランプ保持板３の前端側にしっかりと接着され、軸線はランプ全体の軸線と重なっている。安定器６の回路基板６１は不透明なファイバボードを用いて製造され、ランプ保持板３の後端側に垂直に固定されている。安定器６は、小寸法の部品及び表面実装部品を有して表面実装工程により構成され、ランプ管２及びランプベース９に接続され、回路基板６１と一部の部品はランプベース９の内部空間内に延びている。開口の前部に溝７１を有し、尾部にＥ２７標準型のランプベース９がしっかりと取り付けられているトランペット形の後部カバー７は、透明なＰＣプラスチックに象牙色の粉体を添加してなる。ランプ保持板３の凸状縁部は後部カバー７の溝７１に係止され、ランプ保持板３とその後端側に設置された回路基板６１とはぴったりと固定されている。後部カバー７の前端側の開口にはランプエンベロープ１の後端開口部が収容される。これらの連結部分全体は、接着剤４で接合されて封止される。ランプ保持板３及び回路基板６１は、ランプエンベロープ１と後部カバー７とをつなぐ空間において固定されて封入され、これにより、ランプエンベロープ１がランプ管２を収納するとともに後部カバー７が安定器６を収納する。本実施例における後部カバー７は通常象牙色であって、ランプエンベロープ１の色と調和しており、よって、ランプ管２及び安定器６を外から見えないようにすることができる。電源が投入されると、回路基板６１は透光性を有さないものの、回路基板６１をランプ保持板３に対して垂直な向きに設けたことにより、ランプ保持板３の後端側にある安定器６と後部カバー７との間に光を通すのに十分な空間があるため、ランプ管２から蛍光ランプの後部に向かって放たれた光がランプ保持板３を通って後部カバー７を透過することができる。従って、透光性を有する照明体が、後部カバー７とランプエンベロープ１とで形成されるとともに、安定器６を見えないようにすることができる。
【００１４】
（実施例２）
図２を参照すると、拡散性の透明プラスチック材料からなる尖塔形のランプバルブがランプエンベロープ１に用いられている。ランプ管２は３Ｕ改良型又は小型ランプ管であってランプエンベロープ１に適合するものであり、末端部は透明なＰＣプラスチック製のランプ保持板３の前端側に接着されて固定され、軸線はランプ全体の軸線と重なっている。透明なＰＣプラスチックからなり、隔離作用を有する隔離板５は、ランプ保持板３の内部空間に平行に設置され、安定器６の回路基板６１は、ランプ保持板３の後端側に平行に設置されている。回路基板６１は透明なファイバボードを用いて製造され、ランプ全体の軸線上における投影は、ランプ管２の投影よりも小さく、ランプ保持板３の投影よりも小さい。安定器６は、小寸法の部品及び表面実装部品を有して表面実装工程により構成され、ランプ管２及びランプベース９に接続され、一部の部品はランプベース９の内部空間内に延びるように実装される。比較的長い尾部を有し、透明なＰＣプラスチックに着色粉体を添加してなるトランペット形の後部カバー７は、Ｅ１４標準型のランプベース９に固定され、前端側の開口部分には溝７１が形成されている。ランプ保持板３の凸状縁部が後部カバー７の溝７１に係止されることにより、ランプ保持板３、隔離板５、及びランプ保持板３の後端側に設置された回路基板６１がその位置に適切に固定される。後部カバー７の前端側の開口部にランプエンベロープ１の後端側の開口部が収納される。これらの連結部分全体は、接着剤４で接合されて封止される。ランプ保持板３、分離板５、及び回路基板６１は、ランプエンベロープ１と後部カバー７とをつなぐ空間において固定されて封入され、これにより、ランプエンベロープ１がランプ管２を収納するとともに後部カバー７が安定器６を収納する。ランプ全体の軸線上における回路基板６１の投影をランプ管２及びランプ保持板３の投影よりも小さくしたことにより、ランプ管２から後方に発された光の一部が、ランプ保持板３、隔離板５、回路基板６１、及び回路基板６１上の部品間の空間を通って、後部カバー７に向かう。この光の一部は、回路基板６１を通らずにランプ保持板３を通って後部カバー７に向かい、よって、電源を入れたときに、より多くの光が後部カバー７を透過する。
【００１５】
（実施例３）
図３を参照すると、拡散性の透明ガラス材料からなるＴ４５型ランプエンベロープがランプエンベロープ１に用いられている。ランプ管２は２ＳＬ型の小型ランプ管であり、ランプエンベロープ１に適合している。ランプ管２は、透明なＰＣプラスチックを用いて製造されたランプ保持板３の前端側に金属クリップ３１で固定され、その軸線はランプ全体の軸線に対して垂直になっている。安定器６の回路基板６１は透明なファイバボードを用いて製造され、ランプ保持板３の後端側に固定されている。ランプ全体の軸線上における回路基板６１の投影は、ランプ管２の投影よりも小さく、ランプ保持板３の投影よりも小さい。安定器６は、小寸法の部品及び表面実装部品を有して表面実装工程により構成され、ランプ管２及びランプベース９に接続しており、一部の部品はランプベース９の内部空間内に延びるように実装されている。比較的長い尾部を有し、透明なＰＣプラスチックに着色粉体を添加してなるトランペット形の後部カバー７は、Ｅ１４標準型のランプベース９に固定され、前端側の開口部分には溝７１が形成されている。ランプ保持板３の凸状縁部が後部カバー７の溝７１に係止されることにより、ランプ保持板３及びランプ保持板３の後端側に設置された回路基板６１がその位置に適切に固定される。後部カバー７の前端側の開口部にランプエンベロープ１の後端側の開口部が収納される。これらの連結部分全体は、接着剤４で接合されて封止される。ランプ保持板３及び回路基板６１は、ランプエンベロープ１と後部カバー７とをつなぐ空間において固定されて封入され、これにより、ランプエンベロープ１がランプ管２を収納するとともに後部カバー７が安定器６を収納する。本実施例においては、光が後部カバー７を透過する原理は先の実施例と同じであるが、ランプ管２の軸がランプ全体の軸に対して垂直であるため、より多くの、より強い光を後部カバー７に照射し、透過させることができる。
【００１６】
実施例１と比較すると、後部カバー７の前端側における回路基板６１の収容空間が短いため、ランプ全体の長さが短くなっている。なお、ランプ保持板３の前端側においてランプ管２を金属クリップで平行固定する様式は実施例１においても用いることができる。
【００１７】
（実施例４）
図４を参照すると、拡散性の透明プラスチック材料からなり、多層構造を有する球状のランプバルブがランプエンベロープ１に用いられている。ランプ管２はＳＬＵ構造の小型ランプ管であってランプエンベロープ１に適合するものであり、末端部は透明なＰＣプラスチック製のランプ保持板３の前端側に接着されて固定され、軸線はランプ全体の軸線と重なっている。透明なＰＣプラスチック製の隔離板５がランプ保持板３の内部空間に設置され、安定器６がランプ保持板３の後端側に設置されている。ランプ保持板３に平行な安定器の回路基板６１は、透明なファイバボードを用いて製造され、ランプ全体の軸線上における投影は、ランプ管２の投影よりも小さく、ランプ保持板３の投影よりも小さい。回路基板６１とランプ保持板３との間に平行に設置されている隔離板５は、ランプ管２と回路基板６１の電線を隔離することができる。安定器６は、小寸法の部品及び表面実装部品を有して表面実装工程により構成され、ランプ管２及びランプベース９に接続しており、一部の部品はランプベース９の内部空間内に延びるように実装されている。トランペット形の後部カバー７は、透明なＰＣプラスチックに着色粉体を添加してなり、その尾部はＥ２７標準型のランプベース９に固定されている。本実施例におけるランプベース９は、金属製のネジ山付き外殻部９１、金属接触部９２、金属製ネジ山付き外郭部９１と金属接触部９２との間の絶縁部９３、絶縁部９３に覆われ、後部カバー７の端部と接続される締めボルト９４、及びネジ山付き外殻部９１と絶縁部９３との間の環状シール部９５を含む。後部カバー７の尾部とランプベース９のネジ山付き外殻部９１の前端側開口との連結部には、環状ゴム部材８が取り付けられている。後部カバー７の前端側の開口部には溝７１が形成されている。ランプ保持板３の凸状縁部が後部カバー７の溝７１に係止されることにより、ランプ保持板３、隔離板５、及びランプ保持板３の後端側に設置された回路基板６１がその位置に適切に固定される。後部カバー７の前端側の開口部にランプエンベロープ１の後端側の開口部が収納される。これらの連結部分全体は、接着剤４で接合されて封止される。ランプ保持板３、隔離板５、及び回路基板６１は、ランプエンベロープ１と後部カバー７とをつなぐ空間において固定されて封入され、これにより、ランプエンベロープ１がランプ管２を収納するとともに後部カバー７が安定器６を収納する。本実施例では、ランプ全体の軸線上における回路基板６１及び隔離板５の投影が、ランプ管２及びランプ保持板３の投影より小さいため、ランプ管２から後方に発された光の一部が、ランプ保持板３、隔離板５、回路基板６１、及び回路基板６１上の部品間の空間を通って、後部カバー７に向かい、また、この光の一部は、回路基板６１を通らずにランプ保持板３を通って後部カバー７に向かう。よって、電源を入れると、より多くの光が後部カバー７を透過する。本実施例では、ＳＬ構造を有する小型のランプ管を用いてもよい。
【００１８】
本発明における全周照明可能な封入型蛍光ランプの設計を基に、本発明の適用範囲は、第１に、ランプ管を固定するランプ保持板、電線を隔離する隔離板、安定器の回路基板、及び後部カバーに用いられるあらゆる透光性材料に及び、ランプ管によって発された光がランプ保持板、隔離板、及び回路基板を通って後部カバーを透過するようにし、その結果、ランプの電源を入れたときにランプ本体の全体が明るくなるようにする。特に、ＰＣプラスチックに適切な量の着色粉体を添加してなり、良好な透光性を有するが透明ではない後部カバーに及ぶ。第２に、本発明の適用範囲は、安定器の回路基板をランプ保持板の後端側に垂直に設置すること、又は、ランプ保持板と回路基板を平行にしてランプ全体の軸線上における回路基板の投影をランプ管の投影よりも小さくすることに及び、後部カバーの光透過量を増加させる。第３に、本発明の適用範囲は、ＳＬＵ、ＳＬ、３Ｕ改良型、４ＳＬ、又は２ＳＬの構造を有するランプ管、及び、小寸法の部品及び表面実装部品を有して表面実装工程により構成され、一部の部品をランプベースの内部空間に延びるように実装することにより内部空間の十分な利用を可能にしてランプ全体をより小型にする安定器の使用に及ぶ。
【００１９】
ここに開示された実施例において用いられるＥ２７及びＥ１４標準ランプベースは、限定を意図するものではない。市場の要望に基づき、後部カバーの尾部構造は使用されるランプベースによって部分的に修正してもよい。
【００２０】
本明細書において説明された実施形態は限定を意図するものではなく、そのように判断されるべきものではない。本発明の趣旨及び本質的な特徴を逸脱しないような変更又は実施形態は、付記される請求項の広さ及び範囲内において、特に留保されるものとする。
【図面の簡単な説明】
【００２１】
【図１】本発明の実施例１の軸方向断面図。
【図２】本発明の実施例２の軸方向断面図。
【図３】本発明の実施例３の軸方向断面図。
【図４】本発明の実施例４の軸方向断面図。
【符号の説明】
【００２２】
１  ランプエンベロープ    
２  ランプ管
３  ランプ保持板
４  接着剤
５  隔離板
６  安定器
７  後部カバー
９  ランプベース
３１  金属クリップ
６１  回路基板
【図１】
2005268221.tif 000003
【図２】
2005268221.tif 000004
【図３】
2005268221.tif 000005
【図４】
2005268221.tif 000006